(57)【要約】【課題】コストを増大させることなく、店頭ごとに異なるサービスに関する情報を、簡便にユーザに提供する。【解決手段】モバイル端末１は、注文情報の入力画面を、注文受付機２１あるいはそれ以外のサーバから、赤外通信や移動体通信網などを介してダウンロードしておくか、予め出荷時に内蔵記憶媒体に記憶しておく。またモバイル端末１は、不特定多数の店頭端末機２がそれぞれ提供するプリントサービスに関する情報であるサービス情報を注文受付機２１あるいはそれ以外のサーバからダウンロードして記憶媒体に記憶しておく。サーバとは、特定の店頭端末機２でもよいしその他のネットワーク上のサーバでもよい。【選択図】  図２
2008083747.tif 000002
【特許請求の範囲】
【請求項１】
画像の入力を受け付ける画像入力部、前記画像のプリントの注文に関する注文情報を受信する注文受信部、前記注文情報に応じて決済処理を行う決済部、および前記注文受信部の受信した注文情報に従って前記画像をプリントするためのプリントデータを作成するプリントデータ作成部、および前記プリントデータに従って前記画像の写真プリントを作成するプリンタを備えるプリント端末と、前記注文情報の入力を受け付ける注文受付部および前記注文受付部に入力された注文情報を前記注文受信部に送信する注文送信部を備える通信端末と、を備えたプリントシステムであって、
前記プリント端末の提供するサービスに関する情報であるサービス情報を前記通信端末に送信する情報通信部を備え、
前記通信端末は、前記情報通信部から前記サービス情報を受信すると、前記サービス情報を表示するプリントシステム。
【請求項２】
前記通信端末は、前記注文情報の入力を受け付けるユーザインターフェースの規格に関する情報を含むクライアント情報を前記情報通信部に送信し、
前記情報通信部は  前記通信端末から前記クライアント情報を受信すると、前記プリント端末の提供するサービスに対応しかつ前記クライアント情報に適合するユーザインターフェースを前記通信端末に送信し、
前記通信端末は、前記情報通信部から前記注文情報のユーザインターフェースを受信し、前記注文受付部は、前記ユーザインターフェースを介して前記注文情報の入力を受け付ける請求項１に記載のプリントシステム。
【請求項３】
前記プリント端末は前記情報通信部を備える請求項１または２に記載のプリントシステム。
【請求項４】
画像の入力を受け付ける画像入力部、前記画像のプリントの注文に関する注文情報を通信端末から受信する注文受信部、前記注文情報に応じて決済処理を行う決済部、および前記注文受信部の受信した注文情報に従って前記画像をプリントするためのプリントデータを作成するプリントデータ作成部、および前記プリントデータに従って前記画像の写真プリントを作成するプリンタを備えるプリント端末と、前記注文情報の入力を受け付ける注文受付部および前記注文受付部に入力された注文情報を前記注文受信部に送信する注文送信部を備える通信端末と、前記プリント端末の提供するサービスに関する情報であるサービス情報を前記通信端末に送信する情報通信部と、を備えるプリント端末。
【請求項５】
プリント端末の提供するサービスに関する情報であるサービス情報を、サーバから通信端末に送信するステップと、
前記通信端末において、前記サービス情報を前記サーバから受信し、前記サービス情報を表示させるステップと、
を含むプリントサービス方法。
【発明の詳細な説明】
【技術分野】
【０００１】
本発明は通信端末を利用してプリント注文を行うプリントサービスに関する。
【背景技術】
【０００２】
特許文献１によると、デジタルカメラとプリンタとを接続してデジタルカメラが取得した画像データをプリンタによりダイレクトプリントする。プリンタを操作する操作画面をＵＩ画像データとしてデジタルカメラに提供する。この際、各種言語および文字サイズの操作画面のＵＩ画像データをプリンタに用意しておき、デジタルカメラの言語仕様、表示画面サイズおよびデジタルカメラのユーザの年齢に応じた言語および文字サイズを有する操作画面のＵＩ画像データをデジタルカメラに提供する。
【特許文献１】特開２００４−３６２３２２号公報
【発明の開示】
【発明が解決しようとする課題】
【０００３】
店頭端末機で提供されるプリントサービスは、店頭ごとに異なることが通常である。例えば、対応可能なプリントサイズ、紙切れの有無などは、店頭ごとに異なる。ユーザの携帯端末でプリント注文を可能にすべく、特許文献１のプリンタを店頭プリント端末機に使用したと仮定した場合、ユーザは、そのプリント端末機でどのようなサービスを受けることができるのか、サービスに関する情報が事前に全く分からない不都合がある。従来の店頭プリント端末機と同様、特許文献１のプリンタにサービスに関する情報を表示する手段を設置してもよいが、店頭プリント機のコストが増大し、上記の不都合を解決する方法としては妥当でない。
【０００４】
本発明はこのような問題点に鑑みてなされたもので、コストを増大させることなく、店頭ごとに異なるサービスに関する情報を、簡便にユーザに提供することを目的とする。
【課題を解決するための手段】
【０００５】
本発明は、画像の入力を受け付ける画像入力部、画像のプリントの注文に関する注文情報を受信する注文受信部、注文情報に応じて決済処理を行う決済部、および注文受信部の受信した注文情報に従って画像をプリントするためのプリントデータを作成するプリントデータ作成部、およびプリントデータに従って画像の写真プリントを作成するプリンタを備えるプリント端末と、注文情報の入力を受け付ける注文受付部および注文受付部に入力された注文情報を注文受信部に送信する注文送信部を備える通信端末と、を備えたプリントシステムに関する。
【０００６】
このプリントシステムは、プリント端末の提供するサービスに関する情報であるサービス情報を通信端末に送信する情報通信部を備え、通信端末は、情報通信部からサービス情報を受信すると、サービス情報を表示する。
【０００７】
このように、本発明では、情報通信部からユーザの通信端末にサービス情報を送信し、ユーザの通信端末でこれを表示させるから、店頭ごとに異なるサービスの内容を、簡便にユーザに提供できる。
【０００８】
通信端末は、注文情報の入力を受け付けるユーザインターフェースの規格に関する情報を含むクライアント情報を情報通信部に送信し、情報通信部は  通信端末からクライアント情報を受信すると、プリント端末の提供するサービスに対応しかつクライアント情報に適合するユーザインターフェースを通信端末に送信し、通信端末は、情報通信部から注文情報のユーザインターフェースを受信し、注文受付部は、ユーザインターフェースを介して注文情報の入力を受け付けるとよい。
【０００９】
こうすると、ユーザ側の通信端末の仕様、およびプリント端末ごとに異なるサービスに応じてカスタマイズされたユーザインターフェースを通信端末に提供できる。
【００１０】
なお、情報通信部は、プリント端末自体に備えられていてもよいし、プリント端末とは独立した外部のサーバに備えられていてもよい。
【００１１】
本発明に係るプリント端末は、画像の入力を受け付ける画像入力部、画像のプリントの注文に関する注文情報を通信端末から受信する注文受信部、注文情報に応じて決済処理を行う決済部、および注文受信部の受信した注文情報に従って画像をプリントするためのプリントデータを作成するプリントデータ作成部、およびプリントデータに従って画像の写真プリントを作成するプリンタを備えるプリント端末と、注文情報の入力を受け付ける注文受付部および注文受付部に入力された注文情報を注文受信部に送信する注文送信部を備える通信端末と、プリント端末の提供するサービスに関する情報であるサービス情報を通信端末に送信する情報通信部と、を備える。
【００１２】
本発明に係るプリントサービス方法は、プリント端末の提供するサービスに関する情報であるサービス情報を、サーバから通信端末に送信するステップと、通信端末において、サービス情報をサーバから受信し、サービス情報を表示させるステップと、を含む。
【発明の効果】
【００１３】
本発明では、情報通信部からユーザの通信端末にサービス情報を送信し、ユーザの通信端末でこれを表示させるから、店頭ごとに異なるサービスの内容を、簡便にユーザに提供できる。
【発明を実施するための最良の形態】
【００１４】
以下、添付した図面を参照し、本発明の好ましい実施形態について説明する。
【００１５】
図１は本発明の好ましい実施形態に係るプリントシステムの概略構成図である。
【００１６】
このシステムは、携帯電話１ａやデジタルカメラ１ｂなどで構成されたモバイル端末１と、店頭端末機２とを備えている。
【００１７】
店頭端末機２は、典型的にはコンビニエンス・ストアやＤＰＥ（Develop Print Enlargement）店等の多店舗展開を特徴とする店舗の店頭に設置される。
【００１８】
店頭端末機２は、注文受付機２１と、メディアリーダ２２と、１または複数のプリンタ２３−１，・・２３−ｎを備えている。
【００１９】
モバイル端末１と注文受付機２１とは、ＩｒＤＡ規格に従った赤外線通信など所定の規格に従い、直接データを無線もしくは有線で送受信できるようになっている。
【００２０】
店頭端末機２のプリンタ２３は、携帯電話１ａやデジタルカメラ１ｂによる撮影によって得られた画像を印刷して写真プリントを作成する機能を有する。当該画像を示す画像データは、モバイル端末１に対して着脱可能に構成された図示しないメモリカードを店頭端末機２のメディアリーダ２２に挿入することで、注文受付機２１に入力することができる。ただし、モバイル端末１から注文受付機２１へ画像データを直接送信してもよい。
【００２１】
また、どの画像を何枚プリントするか、画像に合成したいテンプレート、あるいは画像の加工に関する内容など、写真プリントの注文内容を示す注文情報は、モバイル端末１がこの入力を受け付け、これを注文受付機２１に無線送信することで、注文受付機２１に入力することができる。
【００２２】
注文受付機２１は、注文情報に従い、入力された画像データに、適宜画像合成や画像分割等の加工や、色／濃度調整等の画像処理を施し、画像処理後の画像データと注文情報に基づいて、プリントデータを作成し、ジョブの待ちが最も少ないプリンタ２３に出力する。
【００２３】
プリンタ２３は、注文受付機２１からプリントデータを入力すると、これに基づいて所定の記録媒体に印画し、写真プリントの作成を行う。
【００２４】
作成された写真プリントは、図示しない排出口から店頭端末機２の外部に排出され、ユーザは出来上がった写真プリントを受け取ることができる。あるいは、排出された写真プリントを、ユーザの住所に配送することも可能である。
【００２５】
注文情報の入力画面は、モバイル端末１が有する表示画面に表示される。モバイル端末１のユーザは、モバイル端末１に備えられた、テンキー、十字キー等により、注文情報入力画面を介して、プリントサイズ、プリント枚数などの指示（命令）を入力していくことで、注文受付機２１で受け付け可能な形式の注文情報を作成する。
【００２６】
モバイル端末１は、注文情報の入力画面を、注文受付機２１あるいはそれ以外のサーバから、赤外通信や移動体通信網などを介してダウンロードしておくか、予め出荷時に内蔵記憶媒体に記憶しておく。注文情報の入力受け付け、作成、および注文受付機２１への送信を制御するプログラムは、ネットワーク対応言語で記述されており、やはり予め注文受付機２１あるいはそれ以外のサーバからダウンロードされている。  
【００２７】
モバイル端末１に表示された入力画面を介して注文受付機２１に注文情報を入力できるため、注文受付機２１にタッチパネルなどの入力装置や、モニタなどの表示画面を設ける必要がなく、店頭端末機２の構成が安価になる。
【００２８】
もちろん、注文受付機２１に表示画面のみを設けてもよい。この場合、注文情報の作成は携帯通信端末で行わず、注文情報の入力画面に対する指示をモバイル端末１から注文受付機２１に送り、その指示内容を注文受付機２１に表示すると、モバイル端末１を用いて注文受付機２１の注文情報の入力画面に対し、あたかも遠隔操作を行っているようになる。また、この場合でも、注文受付機２１にタッチパネルなどの入力受付装置を設ける必要はなく、コストダウン効果が期待できる。
【００２９】
また、モバイル端末１は、不特定多数の店頭端末機２がそれぞれ提供するプリントサービスに関する情報であるサービス情報を注文受付機２１あるいはそれ以外のサーバからダウンロードして記憶媒体に記憶しておく。
【００３０】
サーバとは、特定の店頭端末機２でもよいしその他のネットワーク上のサーバでもよい。店頭端末機２以外のサーバからサービス情報をダウンロードする場合は、例えば次のようにすることが考えられる。すなわち、モバイル端末１が、インターネットなどのネットワークを介して予め利用を希望する特定の店頭端末機２の紹介ウェブページにアクセスすると、その紹介ウェブページとリンクしたサーバにサービス情報の送信が要求される。サーバは、要求に応じ、紹介ウェブページで指定された店頭端末機２に固有のサービス情報をネットワーク経由でモバイル端末１に送る。
【００３１】
サーバにアクセスしてサービス情報を取得するタイミングは、基本的にはいつでもよいが、最新のサービス情報を入手したい場合は、実際に店頭端末機２に注文情報を送る直前にアクセスすることが好ましい。
【００３２】
また、１つのサーバが、異なる店頭端末機２ごとのサービス情報を一括管理していれば、コスト削減効果が著しく増大する。
【００３３】
以下説明の簡略のため、サーバとは、モバイル端末１が赤外線通信を確立した店頭端末機２であるとする。ただし、当然ながら、モバイル端末１と店頭端末機２は、赤外線通信以外の通信経路を経由して接続してもよい。なお、赤外線通信でなくインターネットなどの公衆ネットワークを経由すれば、ユーザがモバイル端末１を店頭端末機２の面前まで持っていく必要がなくなるというメリットがある。
【００３４】
次に、図２を参照し、注文情報の入力を受け付ける画面の遷移を説明するとともに、図３を参照し、画面遷移に対応するプリントシステムの処理の流れを説明する。
【００３５】
まず、Ｓ１では、モバイル端末１は、特定の店頭端末機２を赤外線通信で認識すると、サービス情報および注文可能情報画面（画面１）を送信するよう、店頭端末機２に要求する。
【００３６】
サービス情報は例えば以下の情報を含む。
【００３７】
・印刷可能なプリントサイズ、紙種
・単価
・納期（プリント取得の目安：１枚あたりの印刷時間など）
・ペーパー残量、ペーパー切れの有無
・キャンペーン情報
Ｓ２では、要求を受けた店頭端末機２が、サービス情報およびこの画面１を赤外線通信で携帯通信端末に送る。
【００３８】
Ｓ３では、モバイル端末１がサービス情報および画面１を受信すると、画面１を表示する。図２（ａ）に示すように、この画面１ではサービス情報として、プリントサイズ、紙種、ペーパー残量が表示されている。この画面１で「注文開始」ボタンを選択すると、Ｓ４に移行する。
【００３９】
Ｓ４では、モバイル端末１から店頭端末機２に対し、クライアント情報を送信するとともに、プリント注文開始画面（画面２）の送信を要求する。クライアント情報は、例えば以下の情報を含む。
【００４０】
・機種名（型番）
・画面サイズ
・表示言語
・ユーザ情報（年齢・年代等）
・支払い方法（電子マネー機能の有無）
・送付先（発送が必要な場合）
Ｓ５では、店頭端末機２がクライアント情報を受信する。店頭端末機２はクライアント情報に応じた画面などのユーザインターフェースや注文受付処理プログラムを予め用意しており、実際に受信したクライアント情報に対応するユーザインターフェースやプログラムを読み出す。そして、クライアント情報に対応するプログラムを実行するとともに、要求を受けた店頭端末機２が、クライアント情報に対応するユーザインターフェースをモバイル端末１に送る。こうすることで、モバイル端末１の仕様やモバイル端末１のユーザの属性に応じてカスタマイズされたユーザインタフェースを店頭端末機２からモバイル端末１に提供できる。
【００４１】
以下、店頭端末機２がモバイル端末１に送る画面、プログラムその他の情報は、クライアント情報が示すモバイル端末１の仕様に適合しているとする。
【００４２】
モバイル端末１は、店頭端末機２から画面２を受信すると、画面表示をこの画面２に遷移させる。
【００４３】
図２（ｂ）に示すように、画面２には、店頭端末機２が受信したクライアント情報が含まれている。
【００４４】
Ｓ６では、モバイル端末１は、画面２で「ＯＫ」ボタンの選択を受け付け、Ｓ７に移行する。
【００４５】
Ｓ７では、画像読み込み画面（画面３）の送信を店頭端末機２に要求する。
【００４６】
Ｓ８では、要求を受けた店頭端末機２が画面３をモバイル端末１に送信する。
【００４７】
Ｓ９では、モバイル端末１が画面３を受信し、画面表示を画面３に遷移させる。
【００４８】
図２（ｃ）に示すように、この画面３では、ユーザが画像データの取得元の種類を任意に選択できる。
【００４９】
Ｓ１０では、モバイル端末１は、画面３で、画像データの取得元の種類を示す「ＩｒＤＡ」、「ＳＤ」、「ｘＤ」などのボタンの選択を受け付ける。「ＩｒＤＡ」が選択されるとＳ１１に移行する。
【００５０】
なお、「ＩｒＤＡ」以外のボタンが選択された場合、メディア挿入画面（画面６）のダウンロードと表示を行う。図２（ｅ）は画面６の表示例を示す。この画面６に対応した処理フローの図示は省略するが、この画面では、画像を読み込むべきメディアをメディアリーダ２２にセットした後、「ＯＫ」ボタンを選択することで、メディアリーダ２２がメディアから画像データを注文受付機２１に読み出す。
【００５１】
Ｓ１１では、モバイル端末１は、ＩｒＤＡ画面（画面４）の送信を店頭端末機２に要求する。
【００５２】
Ｓ１２では、要求を受けた店頭端末機２が画面４をモバイル端末１に送信する。
【００５３】
Ｓ１３では、モバイル端末１が画面４を受信し、画面表示を画面４に遷移させる。図２（ｄ）に示すように、この画面４では、ユーザが画像データの取得元の種類を任意に選択できる旨の注意を与える。画面４で「赤外線送信」ボタンが選択されると、モバイル端末１は、画像選択画面を店頭端末機２に要求する。
【００５４】
Ｓ１４では、店頭端末機２は、画像選択画面をモバイル端末１に送る。
【００５５】
Ｓ１５では、モバイル端末１が店頭端末機２から画像選択画面を受信すると、画面表示を画像選択画面に遷移させる。
【００５６】
図２（ｆ）は画像選択画面を示している。この画面では、赤外線通信にてモバイル端末１から店頭端末機２に送る画像を任意に選択できる。詳細な図示は省略するが、画像の選択の方法は任意であり、サムネイル画像の選択、画像の格納ディレクトリの選択など、各種の方法が考えられる。画像の選択が終わると、「ＯＫ」ボタンを選択することで、選択された画像の送信が開始する。ここでは「画像１」が選択されたとする。
【００５７】
Ｓ１６では、モバイル端末１が「ＯＫ」ボタンの選択に応じ、店頭端末機２に選択された画像を赤外線通信で送信する。画像データ送信は従来技術のダイレクトプリントと同様に行えばよい。
【００５８】
Ｓ１７では、モバイル端末１は、画像の送信完了後、画像の受信が完了した旨を示す画像データ受信完了画面（画面５）の送信を店頭端末機２に要求する。
【００５９】
Ｓ１８では、モバイル端末１が画面５を受信すると、画面表示を画面５に遷移させる。
【００６０】
図２（ｈ）に示すように、画面５では、さらにモバイル端末１から画像を送信する「赤外線通信」ボタンか、あるいは画像の送信を完了する「送信完了」ボタンか、いずれかを任意に選択できる。
【００６１】
Ｓ１９では、モバイル端末１が「赤外線通信」ボタンあるいは「送信完了」ボタンの選択を受け付ける。ここでは説明の都合上、さらに画像を送信するため「赤外線通信」が選択され、Ｓ２０に移行するものとする。ただし、当然ながら画像を１枚だけ送信し、その後、画面５「送信完了」ボタンを選択することもできる。
【００６２】
Ｓ２０では、店頭端末機２は、画像選択画面をモバイル端末１に送る。
【００６３】
Ｓ２１では、モバイル端末１が店頭端末機２から画像選択画面を受信すると、画面表示を画像選択画面に遷移させる。
【００６４】
Ｓ２２では、モバイル端末１が画像選択画面によって画像の選択を受け付ける。ここでは「画像２」が選択されたとする。
【００６５】
Ｓ２３では、モバイル端末１が選択された画像を店頭端末機２に送信する。
【００６６】
Ｓ２４では、モバイル端末１は、画像の送信完了後、画像の受信が完了した旨を示す画像データ受信完了画面（画面５）の送信を店頭端末機２に要求する。
【００６７】
Ｓ２５では、モバイル端末１が画面５を受信すると、画面表示を画面５に遷移させる。
【００６８】
なお、さらに画像の送信を行う場合は、必要な画像の数だけＳ１５〜１９の処理を繰り返せばよい。ここでは説明の簡略のため、画像２の送信後、画面５で「送信完了」ボタンが選択されたとする。
【００６９】
Ｓ２６では、モバイル端末１は、画面５で「送信完了」ボタンが選択されたことに応じ、「プリント条件設定（画面７）」の送信を店頭端末機２に要求する。
【００７０】
Ｓ２７では、店頭端末機２は、モバイル端末１からの要求に応じ、画面７を送信する。
【００７１】
Ｓ２８では、モバイル端末１が店頭端末機２から画面７を受信すると、画面表示を画面７に遷移させる。
【００７２】
図２（ｇ）に示すように、画面７では、印刷すべき画像、印刷サイズ、および印刷枚数など、各画像の印刷に必要な条件を自由に設定できる。これらの条件を確定し、かつ「プリント」ボタンを押すことで、注文情報の内容が確定する。
【００７３】
Ｓ２９では、モバイル端末１は、画面７で確定された注文情報を店頭端末機２に送る。
【００７４】
Ｓ３０では、モバイル端末１は、注文情報の送信完了後、プリント注文確認画面（画面８）の送信を要求する。
【００７５】
Ｓ３１では、店頭端末機２は、モバイル端末１からの要求に応じ、画面８を送信する。
【００７６】
Ｓ３２では、モバイル端末１が店頭端末機２から画面８を受信すると、画面表示を画面８に遷移させる。
【００７７】
図２（ｉ）に示すように、画面８では、店頭端末機２がモバイル端末１から実際に受信した注文情報の内容であるプリント枚数、および該注文情報に応じたプリントの対価である合計金額、プリント所要時間（送付の場合は、最短の到着予定時間）が示されている。また、プリントの対価決済の開始を指示する「決済」ボタンが用意されている。モバイル端末１は、「決済」ボタンの選択を受け付ける。
【００７８】
Ｓ３３では、モバイル端末１は、「決済」ボタンが選択されたことに応じ、プリントの対価決済に必要な情報を送信する。例えば、モバイル端末１が電子マネー機能を備えていれば、電子マネー残高を管理するサーバで付与されているユーザ識別情報を送る。モバイル端末１は、決済情報の送信が完了すると、決済状況画面（画面９）の送信を店頭端末機２に送信する。
【００７９】
Ｓ３４では、店頭端末機２は、決済情報を受信すると、プリント対価の決済の最終確認を行わせる決済状況画面（画面９）をモバイル端末１に送信する。
【００８０】
Ｓ３５では、モバイル端末１が店頭端末機２から画面９を受信すると、画面表示を画面９に遷移させる。
【００８１】
図２（ｊ）に示すように、画面９には、決済の内容を確認するための情報が含まれている。また、プリントの対価決済の完了を指示する「決済完了」ボタンが用意されている。
【００８２】
Ｓ３６では、モバイル端末１は、「決済完了」ボタンが選択されたことに応じ、プリントの対価決済を店頭端末機２に指示する。店頭端末機２は、モバイル端末１からの指示に応じて、プリント対価の決済を実行する。ただし、店頭端末機２自体が必ずしも決済処理を実行する必然性はなく、外部のサーバで行ってもよい。
【００８３】
決済が完了すると、店頭端末機２の注文受付機２１は、注文情報に従って指定された画像を指定枚数だけ指定サイズでプリントするよう、プリンタ２３に指令を送る。プリンタ２３は、この指令に従って画像のプリントを行う。
【００８４】
Ｓ３７では、決済とプリントが完了すると、モバイル端末１は、プリント注文受付完了画面（画面１０）の送信を要求する。
【００８５】
Ｓ３８では、店頭端末機２は、モバイル端末１からの要求に応じ、画面１０を送信する。モバイル端末１は、店頭端末機２から画面１０を受信すると、画面表示を画面１０に遷移させる。
【００８６】
図２（ｋ）に示すように、画面１０は、プリント注文の受け付けが終了したことを、注文情報に付与された固有の受け付け番号とともに示している。
【００８７】
このように、本システムでは、モバイル端末１が、店頭端末機２に応じて異なるサービスの内容を、サービス情報によって取得し、表示することができる。このため、ユーザは、店頭端末機２を操作したり、店員に尋ねたりすることなく、モバイル端末１の画面に表示されたサービス情報を見ながら、店頭端末機２によって異なるであろうサービス提供状況を前もって確認できる。
【００８８】
例えば、ユーザがプリント可能なサイズを確認すれば、自分の望むサイズがその店頭端末機２でプリントできるのかが分かるし、各サイズのペーパー残量を確認すれば、プリントしたい枚数と比較して、その全部を印刷可能なのかが分かる。
【００８９】
そして、確認した店頭端末機２のサービス内容に応じて、その店頭端末機２に注文を出すか否か、出すとすればどのような内容にするかを、モバイル端末１の操作装置を介して、自由に選択することができる。
【００９０】
サービス情報はモバイル端末１の画面に表示されるし、注文情報の入力もモバイル端末１からできるから、店頭端末機２にサービス情報表示用の画面を設けたり、注文情報入力用の操作装置を設ける必要がなく、店頭端末機２のコストダウンが期待できる。しかも、従来のように店頭端末機の大きな画面に情報が表示され、他人に画面を覗き込まれて、画像の中身やプリント注文の内容を知られる心配が少ない。
【００９１】
さらに、店頭端末機２によってサーバから配信するサービス情報を変えることができるから、従来のダイレクトプリントとは異なり、店頭端末機２に応じて異なるサービス内容に対応したプリント注文の発行やプリント注文画面の提供が非常に容易になる。
【図面の簡単な説明】
【００９２】
【図１】プリントシステムの構成図
【図２】注文情報の入力画面遷移を説明する図
【図３】プリントシステムの処理の流れを示すフローチャート
【符号の説明】
【００９３】
１：モバイル端末、２：店頭端末機
【図１】
2008083747.tif 000003
【図２】
2008083747.tif 000004
【図３】
2008083747.tif 000005